(57)【要約】      （修正有）【課題】プランクトン及び大きさによって類別された各魚を各育成領域にて育成するプランクトン及び魚育成用水槽を提供する。【解決手段】鉛直方向壁部１０を備えているマイクロプランクトン育成領域１、一方が鉛直方向壁部１０を介してマイクロプランクトン育成領域１に隣接し、かつ他方側に鉛直方向壁部１２０を備えているメソプランクトン育成領域１２、一方が鉛直方向壁部１２０を介してメソプランクトン育成領域１２に隣接し、かつ他方側に鉛直方向壁部２０を備えている小型魚育成領域２、一方が鉛直方向壁部２０を介して小型魚育成領域２に隣接し、かつ他方側に鉛直方向壁部３０を備えている中型魚育成領域３、一方が鉛直方向壁部３０を介して中型魚育成領域３に隣接している大型魚育成領域４、をそれぞれ設けているプランクトン及び魚育成用水槽。【選択図】図４
2020184886.tif 000002
【特許請求の範囲】
【請求項１】
水平方向又は鉛直方向における一方側の幅を２０〜２００μｍとし、他方側の幅を１０μｍ以上とする孔が点在している鉛直方向壁部を備えているマイクロプランクトン育成領域、当該鉛直方向壁部を介して当該マイクロプランクトン育成領域に隣接し、かつ水平方向又は鉛直方向における一方側の幅を２００μｍ〜２ｃｍとし、他方側の幅を２００μｍ以上とする孔が点在している鉛直方向壁部を備えている小型魚育成領域、当該鉛直方向壁部を介して当該小型魚育成領域に隣接し、かつ水平方向又は鉛直方向における一方側の幅を３〜５ｃｍとし、他方側の幅を３ｃｍ以上とする孔が点在している鉛直方向壁部を備えている中型魚育成領域、当該鉛直方向壁部を介して当該中型魚育成領域に隣接している大型魚育成領域、をそれぞれ設けているプランクトン及び魚育成用水槽。
【請求項２】
水平方向又は鉛直方向における一方側の幅を２０〜２００μｍとし、他方側の幅を１０μｍ以上とする孔が点在している鉛直方向壁部を備えているマイクロプランクトン育成領域、当該鉛直方向壁部を介して当該マイクロプランクトン育成領域に隣接し、かつ水平方向又は鉛直方向における一方側の幅を２００μｍ〜１ｃｍとし、他方側の幅を２００μｍ以上とする孔が点在している鉛直方向壁部を備えているメソプランクトン育成領域、当該鉛直方向壁部を介して当該メソプランクトン育成領域に隣接し、かつ水平方向又は鉛直方向における一方側の幅を１〜２ｃｍとし、他方側の幅を１ｃｍ以上とする孔が点在している鉛直方向壁部を備えている小型魚育成領域、当該鉛直方向壁部を介して当該小型魚育成領域に隣接し、かつ水平方向又は鉛直方向における一方側の幅を３〜５ｃｍとし、他方側の幅を３ｃｍ以上とする孔が点在している鉛直方向壁部を備えている中型魚育成領域、当該鉛直方向壁部を介して当該中型魚育成領域に隣接している大型魚育成領域、をそれぞれ設けているプランクトン及び魚育成用水槽。
【請求項３】
各鉛直方向壁部が不透明な板によって形成されていることを特徴とする請求項１、２の何れか一項に記載のプランクトン及び魚育成用水槽。
【請求項４】
前記各鉛直方向壁部において、前記各孔の水平方向又は鉛直方向における一方側の幅が、隣接する育成領域側に設定されており、前記各鉛直方向壁部を備えている育成領域に向かう側に沿って、前記各孔の水平方向及び鉛直方向における一方側の幅が順次大きく設定されていることを特徴とする請求項１、２の何れか一項に記載のプランクトン及び魚育成用水槽。
【請求項５】
水平方向又は鉛直方向における一方側の幅を２〜２００μｍとし、他方側の幅を１０μｍ以上とするメッシュ単位の平面方向に沿った接続による単層又は当該単層を重畳している複数層を形成している鉛直方向メッシュを備えたマイクロプランクトン育成領域、当該鉛直方向メッシュを介して当該マイクロプランクトン育成領域に隣接し、かつ水平方向又は鉛直方向における一方側の幅を２００μｍ〜２ｃｍとし、他方側の幅を２００μｍ以上とするメッシュ単位の平面方向に沿った接続による単層又は当該単層を重畳している複数層を形成している鉛直方向メッシュを備えた小型魚育成領域、当該鉛直方向メッシュを介して当該小型魚育成領域に隣接し、かつ水平方向又は鉛直方向における一方側の幅を３〜５ｃｍとし、他方側の幅を３ｃｍ以上とするメッシュ単位の平面方向に沿った接続による単層又は当該単層を重畳している複数層を形成している鉛直方向メッシュを備えている中型魚育成領域、当該鉛直方向メッシュを介して当該中型魚育成領域に隣接している大型魚育成領域、をそれぞれ設けているプランクトン及び魚育成用水槽。
【請求項６】
水平方向又は鉛直方向における一方側の幅を２〜２００μｍとし、他方側の幅を１０μｍ以上とするメッシュ単位の平面方向に沿った接続による単層又は当該単層を重畳している複数層を形成している鉛直方向メッシュを備えたマイクロプランクトン育成領域、当該鉛直方向メッシュを介して当該マイクロプランクトン育成領域に隣接し、かつ水平方向又は鉛直方向における一方側の幅を２００μｍ〜１ｃｍとし、他方側の幅を２００μｍ以上とするメッシュ単位の平面方向に沿った接続による単層又は当該単層を重畳している複数層を形成している鉛直方向メッシュを備えたメソプランクトン育成領域、当該鉛直方向メッシュを介して当該メソプランクトン育成領域に隣接し、かつ水平方向又は鉛直方向における一方側の幅を１〜２ｃｍとし、他方側の幅を１ｃｍ以上とするメッシュ単位の平面方向に沿った接続による単層又は当該単層を重畳している複数層を形成している鉛直方向メッシュを備えた小型魚育成領域、当該鉛直方向メッシュを介して当該小型魚育成領域に隣接し、かつ水平方向又は鉛直方向における一方側の幅を３〜５ｃｍとし、他方側の幅を３ｃｍ以上とするメッシュ単位の平面方向に沿った接続による単層又は当該単層を重畳している複数層を形成している鉛直方向メッシュを備えている中型魚育成領域、当該鉛直方向メッシュを介して当該中型魚育成領域に隣接している大型魚育成領域、をそれぞれ設けているプランクトン及び魚育成用水槽。
【請求項７】
各育成領域の照明の程度につき大型魚育成領域、中型魚育成領域、小型魚育成領域の順序にて順次大きく設定されていることを特徴とする請求項５、６の何れか一項に記載のプランクトン及び魚育成用水槽。
【請求項８】
２枚の板が水平方向又は鉛直方向にて交差状態にあり、かつ当該交差領域における２枚の板の向かい合う面の幅を２０〜２００μｍとする鉛直方向交差壁部を備えているマイクロプランクトン育成領域、当該鉛直方向交差壁部を介して当該マイクロプランクトン育成領域に隣接し、２枚の板が水平方向又は鉛直方向にて交差状態にあり、当該交差領域における２枚の板の向かい合う面の幅を２００μｍ〜２ｃｍとする鉛直方向交差壁部を備えている小型魚育成領域、当該鉛直方向交差壁部を介して、当該小型魚育成領域に隣接し、かつ２枚の板が水平方向又は鉛直方向に交差しており、当該交差領域における２枚の板の向かい合う面の幅を３〜５ｃｍとする鉛直方向交差壁部を備えている中型魚育成領域、当該鉛直方向交差壁部を介して、当該中型魚育成領域に隣接している大型魚育成領域、をそれぞれ設けているプランクトン及び魚育成用水槽。
【請求項９】
２枚の板が水平方向又は鉛直方向にて交差状態にあり、かつ当該交差領域における２枚の板の向かい合う面の幅を２０〜２００μｍとする鉛直方向交差壁部を備えているマイクロプランクトン育成領域、当該鉛直方向交差壁部を介して当該マイクロプランクトン育成領域に隣接し、かつ２枚の板が水平方向又は鉛直方向にて交差状態にあり、かつ当該交差領域における２枚の板の向かい合う面の幅を２００μｍ〜１ｃｍとする鉛直方向交差壁部を備えているメソプランクトン育成領域、当該鉛直方向交差壁部を介して当該メソプランクトン育成領域に隣接し、かつ２枚の板が水平方向又は鉛直方向にて交差状態にあり、当該交差領域における２枚の板の向かい合う面の幅を１〜２ｃｍとする鉛直方向交差壁部を備えている小型魚育成領域、当該鉛直方向交差壁部を介して、当該小型魚育成領域に隣接し、かつ２枚の板が水平方向又は鉛直方向に交差しており、当該交差領域における２枚の板の向かい合う面の幅を３〜５ｃｍとする鉛直方向交差壁部を備えている中型魚育成領域、当該鉛直方向交差壁部を介して、当該中型魚育成領域に隣接している大型魚育成領域、をそれぞれ設けているプランクトン及び魚育成用水槽。
【請求項１０】
各鉛直方向交差壁部における２枚の板が何れも不透明であることを特徴とする請求項８、９の何れか一項に記載のプランクトン及び魚育成用水槽。
【請求項１１】
マイクロプランクトン育成領域、小型魚育成領域、中型魚育成領域において、それぞれ請求項１の鉛直方向壁部、請求項５の鉛直方向メッシュ、請求項８の鉛直方向交差壁部の何れかを選択した状態にて備えており、かつ選択の結果が請求項１、５、８と異なる構成であるプランクトン及び魚育成用水槽。
【請求項１２】
マイクロプランクトン育成領域、メゾプランクトン育成領域、小型魚育成領域、中型魚育成領域において、それぞれ、請求項２の鉛直方向壁部、請求項６の鉛直方向メッシュ、請求項９の鉛直方向交差壁部の何れかを選択した状態にて備えており、かつ選択の結果が請求項２、６、９と異なる構成であるプランクトン及び魚育成用水槽。
【請求項１３】
請求項１、５、８、１１の何れか一項に記載のマイクロプランクトン育成領域に隣接して、請求項１、５、８、１１の何れか一項に記載の中型魚育成領域を設け、当該中型魚育成領域に隣接して、大型魚育成領域を設けているプランクトン及び魚育成用水槽。
【請求項１４】
マイクロプランクトン育成領域を最内側とし、大型魚育成領域を最外側とし、各鉛直方向壁部又は各鉛直方向メッシュ又は各鉛直方向交差壁部を介して隣接している各育成領域が、当該各鉛直方向壁部又は当該各鉛直方向メッシュ又は各鉛直方向交差壁部を備えている各育成領域を囲んだ形状であり、小型魚育成領域及び中型魚育成領域が備えている各鉛直方向壁部又は各鉛直方向交差壁部が透明であることを特徴とする請求項１、２、３、４、５、６、７、８、９、１０、１１、１２、１３の何れか一項に記載のプランクトン及び魚育成用水槽。
【請求項１５】
各育成領域の照明の程度につき大型魚育成領域、中型魚育成領域、小型魚育成領域の順序にて順次大きく設定されていることを特徴とする請求項１４に記載のプランクトン及び魚育成用水槽。
【請求項１６】
各育成領域の下側に底部空間を設け、当該底部空間内に濾過槽及び水循環用ポンプを配設し、マイクロプランクトン育成領域を上流とし、大型魚育成領域を下流とする水の循環を実現しており、かつ底部空間と大型魚育成領域とを仕切る底面における水透過用穴を、大型魚が通過し得ない程度の大きさとするか、又は底部空間に中型魚育成領域が備えている鉛直方向壁部又は鉛直方向メッシュ又は鉛直方向交差壁部を底部空間に延設している請求項１、２、３、４、５、６、７、８、９、１０、１１、１２、１３、１４、１５の何れか一項に記載のプランクトン及び魚育成用水槽。
【請求項１７】
底部空間と各育成領域とを仕切る底面において、各育成領域毎に水透過用穴を備えていることを特徴とする請求項１６に記載のプランクトン及び魚育成用水槽。
【請求項１８】
マイクロプランクトン育成領域に、マイクロプランクトンの育成飼料粉末を保持するマット層又は三次元メッシュ層を設けていることを特徴とする請求項１、２、３、４、５、６、７、８、９、１０、１１、１２、１３、１４、１５、１６、１７の何れか一項に記載のプランクトン及び魚育成用水槽。
【請求項１９】
底部空間における循環ポンプが前記マット層又は三次元メッシュ層を上昇する水流を供給することを特徴とする請求項１６、１７の何れかの一項及び請求項１４に記載のプランクトン及び魚育成用水槽。
【請求項２０】
土砂を素材とする多孔質焼結粒子を、底部空間に敷設していることを特徴とする請求項１６、１７の何れか一項に記載のプランクトン及び魚育成用水槽。
【請求項２１】
土砂を素材とする多孔質焼結粒子を網状又は袋状の容器内に収容し、当該容器に空気袋を固着することによって、底部空間内に浮上させることを特徴とする請求項１６、１７の何れか一項に記載のプランクトン及び魚育成用水槽。
【請求項２２】
底部空間において、水生植物を育成していることを特徴とする請求項２０、２１の何れか一項に記載のプランクトン及び魚育成用水槽。
【請求項２３】
水生植物が群落を形成している水草であることを特徴とする請求項２２記載のプランクトン及び魚育成用水槽。
【発明の詳細な説明】
【技術分野】
【０００１】
本発明は、マイクロプランクトン及び小型魚及び中型魚及び大型魚、又はマイクロプランクトン及びメソプランクトン及び小型魚及び中型魚及び大型魚をそれぞれ隣接している育成領域内にて育成するプランクトン及び魚育成用水槽を対象としている。
【背景技術】
【０００２】
水族館又は水産試験場において採用されている魚育成水槽、観賞水槽、展示水槽は、メダカ、モロコなどの小型魚、金魚、フナ及び鮎等の中型魚及び鯉、ナマズ等の大型魚を別々に飼育、育成されており、大きさが極端に異なる種類や、肉食魚を小型魚と同時に育成するような設備を備えた水槽の構成は提案されていない。
【０００３】
その原因は、大きさの異なる種類を混育しようとしても、より小さな種類が捕食されるだけでなく、サイズが大きく運動能力や競争力が高い種類の魚が供給された飼料の大半を独占する傾向が生じ、同一の空間では大きさや性質の異なる複数の種類すべてを栄養不足状態とせずに、健全に育成することが困難なことに由来している。
【０００４】
このような状況の下に、大抵の場合、水槽は、小型魚、中型魚、大型魚を個別に育成する構成が採用されている。
但し、例外的に特許文献１及び同２においては、水槽を内壁によって区分し、所望の魚を大きさに応じて所望の区画に収集する構成が採用されている。
【０００５】
しかしながら、特許文献１及び同２は、電界又は磁界の発生によって、水中の魚に刺激を与えて各区分された領域に魚を誘導しかつ収集しているに過ぎず、収集した魚を大きさに応じて育成することまで提唱している訳ではない。
【０００６】
各魚を育成する水槽においては、各魚育成用の飼料を水槽内に散布しているが、当該散布によって水槽が汚染されるという弊害を免れることができない。
【０００７】
自然界に生息している前記各魚は、マイクロプランクトン及び／又はメソプランクトンを捕食している。
【０００８】
このような場合、前記各魚が前記各プランクトンを捕食するような水槽の構成を採用した場合には、単に前記各プランクトンを育成するための飼料を供給した場合には、前記各魚が前記各プランクトンを捕食することができる。
【０００９】
その結果、前記各魚を生育する領域に資料を散布することはなく、水槽を汚染する程度を減少させることができる。
【００１０】
然るに、従来の魚を育成する水槽においては、プランクトンと魚との双方を育成するような構成は提唱されていない。
【００１１】
現に、特許文献１及び同２においては、プランクトンの収集及び育成については全く開示及び示唆していない。
【００１２】
このように、従来技術においては、プランクトン及び大きさに応じて類別された魚を共存した状態にて育成するような水槽の構成は全く提唱されていない。
【先行技術文献】
【特許文献】
【００１３】
【特許文献１】ＷＯ２０１７／２１３２３３号公報
【特許文献２】特開２０１８−１３４０９７号公報
【発明の概要】
【発明が解決しようとする課題】
【００１４】
本発明は、プランクトン及び大きさによって類別された各魚を各育成領域にて育成するプランクトン及び魚育成用水槽の構成を提供することを課題としている。
【課題を解決するための手段】
【００１５】
前記課題を解決するため、本発明の構成は、
（１）水平方向又は鉛直方向における一方側の幅を２０〜２００μｍとし、他方側の幅を１０μｍ以上とする孔が点在している鉛直方向壁部を備えているマイクロプランクトン育成領域、当該鉛直方向壁部を介して当該マイクロプランクトン育成領域に隣接し、かつ水平方向又は鉛直方向における一方側の幅を２００μｍ〜２ｃｍとし、他方側の幅を２００μｍ以上とする孔が点在している鉛直方向壁部を備えている小型魚育成領域、当該鉛直方向壁部を介して当該小型魚育成領域に隣接し、かつ水平方向又は鉛直方向における一方側の幅を３〜５ｃｍとし、他方側の幅を３ｃｍ以上とする孔が点在している鉛直方向壁部を備えている中型魚育成領域、当該鉛直方向壁部を介して当該中型魚育成領域に隣接している大型魚育成領域、をそれぞれ設けているプランクトン及び魚育成用水槽、
（２）水平方向又は鉛直方向における一方側の幅を２０〜２００μｍとし、他方側の幅を１０μｍ以上とする孔が点在している鉛直方向壁部を備えているマイクロプランクトン育成領域、当該鉛直方向壁部を介して当該マイクロプランクトン育成領域に隣接し、かつ水平方向又は鉛直方向における一方側の幅を２００μｍ〜１ｃｍとし、他方側の幅を２００μｍ以上とする孔が点在している鉛直方向壁部を備えているメソプランクトン育成領域、当該鉛直方向壁部を介して当該メソプランクトン育成領域に隣接し、かつ水平方向又は鉛直方向における一方側の幅を１〜２ｃｍとし、他方側の幅を１ｃｍ以上とする孔が点在している鉛直方向壁部を備えている小型魚育成領域、当該鉛直方向壁部を介して当該小型魚育成領域に隣接し、かつ水平方向又は鉛直方向における一方側の幅を３〜５ｃｍとし、他方側の幅を３ｃｍ以上とする孔が点在している鉛直方向壁部を備えている中型魚育成領域、当該鉛直方向壁部を介して当該中型魚育成領域に隣接している大型魚育成領域、をそれぞれ設けているプランクトン及び魚育成用水槽、
（３）水平方向又は鉛直方向における一方側の幅を２〜２００μｍとし、他方側の幅を１０μｍ以上とするメッシュ単位の平面方向に沿った接続による単層又は当該単層を重畳している複数層を形成している鉛直方向メッシュを備えたマイクロプランクトン育成領域、当該鉛直方向メッシュを介して当該マイクロプランクトン育成領域に隣接し、かつ水平方向又は鉛直方向における一方側の幅を２００μｍ〜２ｃｍとし、他方側の幅を２００μｍ以上とするメッシュ単位の平面方向に沿った接続による単層又は当該単層を重畳している複数層を形成している鉛直方向メッシュを備えた小型魚育成領域、当該鉛直方向メッシュを介して当該小型魚育成領域に隣接し、かつ水平方向又は鉛直方向における一方側の幅を３〜５ｃｍとし、他方側の幅を３ｃｍ以上とするメッシュ単位の平面方向に沿った接続による単層又は当該単層を重畳している複数層を形成している鉛直方向メッシュを備えている中型魚育成領域、当該鉛直方向メッシュを介して当該中型魚育成領域に隣接している大型魚育成領域、をそれぞれ設けているプランクトン及び魚育成用水槽、
（４）水平方向又は鉛直方向における一方側の幅を２〜２００μｍとし、他方側の幅を１０μｍ以上とするメッシュ単位の平面方向に沿った接続による単層又は当該単層を重畳している複数層を形成している鉛直方向メッシュを備えたマイクロプランクトン育成領域、当該鉛直方向メッシュを介して当該マイクロプランクトン育成領域に隣接し、かつ水平方向又は鉛直方向における一方側の幅を２００μｍ〜１ｃｍとし、他方側の幅を２００μｍ以上とするメッシュ単位の平面方向に沿った接続による単層又は当該単層を重畳している複数層を形成している鉛直方向メッシュを備えたメソプランクトン育成領域、当該鉛直方向メッシュを介して当該メソプランクトン育成領域に隣接し、かつ水平方向又は鉛直方向における一方側の幅を１〜２ｃｍとし、他方側の幅を１ｃｍ以上とするメッシュ単位の平面方向に沿った接続による単層又は当該単層を重畳している複数層を形成している鉛直方向メッシュを備えた小型魚育成領域、当該鉛直方向メッシュを介して当該小型魚育成領域に隣接し、かつ水平方向又は鉛直方向における一方側の幅を３〜５ｃｍとし、他方側の幅を３ｃｍ以上とするメッシュ単位の平面方向に沿った接続による単層又は当該単層を重畳している複数層を形成している鉛直方向メッシュを備えている中型魚育成領域、当該鉛直方向メッシュを介して当該中型魚育成領域に隣接している大型魚育成領域、をそれぞれ設けているプランクトン及び魚育成用水槽、
（５）２枚の板が水平方向又は鉛直方向にて交差状態にあり、かつ当該交差領域における２枚の板の向かい合う面の幅を２０〜２００μｍとする鉛直方向交差壁部を備えているマイクロプランクトン育成領域、当該鉛直方向交差壁部を介して当該マイクロプランクトン育成領域に隣接し、２枚の板が水平方向又は鉛直方向にて交差状態にあり、当該交差領域における２枚の板の向かい合う面の幅を２００μｍ〜２ｃｍとする鉛直方向交差壁部を備えている小型魚育成領域、当該鉛直方向交差壁部を介して、当該小型魚育成領域に隣接し、かつ２枚の板が水平方向又は鉛直方向に交差しており、当該交差領域における２枚の板の向かい合う面の幅を３〜５ｃｍとする鉛直方向交差壁部を備えている中型魚育成領域、当該鉛直方向交差壁部を介して、当該中型魚育成領域に隣接している大型魚育成領域、をそれぞれ設けているプランクトン及び魚育成用水槽、
（６）２枚の板が水平方向又は鉛直方向にて交差状態にあり、かつ当該交差領域における２枚の板の向かい合う面の幅を２０〜２００μｍとする鉛直方向交差壁部を備えているマイクロプランクトン育成領域、当該鉛直方向交差壁部を介して当該マイクロプランクトン育成領域に隣接し、かつ２枚の板が水平方向又は鉛直方向にて交差状態にあり、かつ当該交差領域における２枚の板の向かい合う面の幅を２００μｍ〜１ｃｍとする鉛直方向交差壁部を備えているメソプランクトン育成領域、当該鉛直方向交差壁部を介して当該メソプランクトン育成領域に隣接し、かつ２枚の板が水平方向又は鉛直方向にて交差状態にあり、当該交差領域における２枚の板の向かい合う面の幅を１〜２ｃｍとする鉛直方向交差壁部を備えている小型魚育成領域、当該鉛直方向交差壁部を介して、当該小型魚育成領域に隣接し、かつ２枚の板が水平方向又は鉛直方向に交差しており、当該交差領域における２枚の板の向かい合う面の幅を３〜５ｃｍとする鉛直方向交差壁部を備えている中型魚育成領域、当該鉛直方向交差壁部を介して、当該中型魚育成領域に隣接している大型魚育成領域、をそれぞれ設けているプランクトン及び魚育成用水槽、
からなる。
【発明の効果】
【００１６】
基本構成（１）、（２）、（３）、（４）、（５）、（６）に立脚している本発明においては、１個の水槽において、小型魚、中型魚、大型魚を同時に育成し、かつその遊泳状態を鑑賞することができる。
【００１７】
しかも、基本構成（１）、（３）、（５）の場合には、マイクロプランクトンに育成用の飼料を供給した場合には、マイクロプランクトンの小型魚育成領域及び中型魚育成領域及び大型魚育成領域への遊泳、小型魚の中型魚育成領域及び大型魚育成領域への遊泳、中型魚の大型魚育成領域への遊泳によって、小型魚がマイクロプランクトンを、中型魚がマイクロプランクトン及び小型魚を、大型魚がマイクロプランクトン及び小型魚及び中型魚をそれぞれ捕食することができる。
【００１８】
同様に、基本構成（２）、（４）、（６）の場合には、マイクロプランクトンに育成用の飼料を供給した場合には、マイクロプランクトンのメソプランクトン育成領域及び小型魚育成領域及び中型魚育成領域及び大型魚育成領域への遊泳、メソプランクトンの小型魚育成領域及び中型魚育成領域及び大型魚育成領域への遊泳、小型魚の中型魚育成領域及び大型魚育成領域への遊泳、中型魚の大型魚育成領域への遊泳によって、メソプランクトンがマイクロプランクトンを、小型魚がマイクロプランクトン及びメソプランクトンを、中型魚がマイクロプランクトン及びメソプランクトン及び小型魚を、大型魚がマイクロプランクトン及びメソプランクトン及び小型魚及び中型魚を、それぞれ捕食することができる。
【００１９】
その結果、メソプランクトン、小型魚、中型魚、大型魚の各育成領域に飼料を散布せずに、これらの各育成領域を形成する水槽の汚染を少ない状態とした上で、前記各魚の育成を継続することができる。
【図面の簡単な説明】
【００２０】
【図１】実施例１及び実施例３の構成を示す鉛直方向断面図である。
【図２】実施例２の構成を示す鉛直方向断面図である。
【図３】基本構成（１）の構成を示しており、（ａ）は、鉛直方向断面図であり、（ｂ）は、水平方向平面図である。
【図４】基本構成（２）の構成を示しており、（ａ）は、鉛直方向断面図であり、（ｂ）は、水平方向平面図である。
【図５】基本構成（３）の構成を示しており、（ａ）は、鉛直方向断面図であり、（ｂ）は、水平方向平面図である。
【図６】基本構成（４）の構成を示しており、（ａ）は、鉛直方向断面図であり、（ｂ）は、水平方向平面図である。
【図７】基本構成（５）の構成を示しており、（ａ）は、鉛直方向断面図であり、（ｂ）は、水平方向平面図である。
【図８】基本構成（６）の構成を示しており、（ａ）は、鉛直方向断面図であり、（ｂ）は、水平方向平面図である。
【図９】基本構成（１）、（２）において、鉛直方向壁部の孔における一方側の幅が、隣接する育成領域側に設定されており、前記各鉛直方向壁部を備えている育成領域側に向かう側に沿って水平方向及び鉛直方向における幅が順次大きく設定されている実施形態を示す鉛直方向断面図である。
【図１０】基本構成（１）及び（２）における鉛直方向壁部の状態を示す鉛直方向側面図であって、（ａ）は、鉛直方向に細長いスリット形状の場合を示し、（ｂ）は、孔が円形の場合を示す。
【図１１】基本構成（３）及び（４）における鉛直方向メッシュの状態を示す鉛直方向側面図であって、（ａ）は、メッシュ単位が鉛直方向に細長いスリット形状の場合を示し、（ｂ）は、メッシュ単位が正六角形の場合を示す。
【図１２】マイクロプランクトン育成領域を小型魚育成領域が囲み、小型魚育成領域を中型魚育成領域が囲み、中型魚育成領域を大型魚育成領域が囲んだ状態の形状である基本構成（１）の実施形態を示しており、（ａ）は、鉛直方向断面図を示し、（ｂ）は、垂直方向断面図である。
【図１３】マイクロプランクトン育成領域を小型魚育成領域が囲み、小型魚育成領域を中型魚育成領域が囲み、中型魚育成領域を大型魚育成領域が囲んだ状態の形状である基本構成（３）の実施形態を示しており、（ａ）は、鉛直方向断面図を示し、（ｂ）は、垂直方向断面図である。
【図１４】マイクロプランクトン育成領域を小型魚育成領域が囲み、小型魚育成領域を中型魚育成領域が囲み、中型魚育成領域を大型魚育成領域が囲んだ状態の形状である基本構成（５）の実施形態を示しており、（ａ）は、鉛直方向断面図を示し、（ｂ）は、垂直方向断面図である。
【発明を実施するための形態】
【００２１】
基本構成（１）のプランクトン及び魚育成用水槽は、図３（ａ）、（ｂ）に示すように、水平方向又は鉛直方向における一方側の幅を２０〜２００μｍとし、他方側の幅を１０μｍ以上とする孔５が点在している鉛直方向壁部１０を備えているマイクロプランクトン育成領域１、当該鉛直方向壁部１０を介して当該マイクロプランクトン育成領域１に隣接し、かつ水平方向又は鉛直方向における一方側の幅を２００μｍ〜２ｃｍとし、他方側の幅を２００μｍ以上とする孔５が点在している鉛直方向壁部２０を備えている小型魚育成領域２、当該鉛直方向壁部２０を介して当該小型魚育成領域２に隣接し、かつ水平方向又は鉛直方向における一方側の幅を３〜５ｃｍとし、他方側の幅を３ｃｍ以上とする孔５が点在している鉛直方向壁部３０を備えている中型魚育成領域３、当該鉛直方向壁部３０を介して当該中型魚育成領域３に隣接している大型魚育成領域４、をそれぞれ設けている。
尚、図３（ａ）においては、孔５を、表示の便宜上、鉛直方向の幅を順次変化させたことによる黒色領域によって示す。
【００２２】
基本構成（２）のプランクトン及び魚育成用水槽は、図４（ａ）、（ｂ）に示すように、水平方向又は鉛直方向における一方側の幅を２０〜２００μｍとし、他方側の幅を１０μｍ以上とする孔５が点在している鉛直方向壁部１０を備えているマイクロプランクトン育成領域１、当該鉛直方向壁部１０を介して当該マイクロプランクトン育成領域１に隣接し、かつ水平方向又は鉛直方向における一方側の幅を２００μｍ〜１ｃｍとし、他方側の幅を２００μｍ以上とする孔５が点在している鉛直方向壁部１２０を備えているメソプランクトン育成領域１２、当該鉛直方向壁部１２０を介して当該メソプランクトン育成領域１２に隣接し、かつ水平方向又は鉛直方向における一方側の幅を１〜３ｃｍとし、他方側の幅を１ｃｍ以上とする孔５が点在している鉛直方向壁部２０を備えている小型魚育成領域２、当該鉛直方向壁部２０を介して当該小型魚育成領域２に隣接し、かつ水平方向又は鉛直方向における一方側の幅を３〜５ｃｍとし、他方側の幅を３ｃｍ以上とする孔５が点在している鉛直方向壁部３０を備えている中型魚育成領域３、当該鉛直方向壁部３０を介して当該中型魚育成領域３に隣接している大型魚育成領域４、をそれぞれ設けている。
尚、図４（ａ）においては、孔５を、表示の便宜上、鉛直方向の幅を順次変化させたことによる黒色領域によって示す。
【００２３】
基本構成（３）のプランクトン及び魚育成用水槽は、図５（ａ）、（ｂ）に示すように、水平方向又は鉛直方向における一方側の幅を２〜２００μｍとし、他方側の幅を１０μｍ以上とするメッシュ単位５の平面方向に沿った接続による単層又は当該単層を重畳している複数層を形成している鉛直方向メッシュ１０を備えたマイクロプランクトン育成領域１、当該鉛直方向メッシュ１０を介して当該マイクロプランクトン育成領域１に隣接し、かつ水平方向又は鉛直方向における一方側の幅を２００μｍ〜２ｃｍとし、他方側の幅を２００μｍ以上とするメッシュ単位５の平面方向に沿った接続による単層又は当該単層を重畳している複数層を形成している鉛直方向メッシュ２０を備えた小型魚育成領域２、当該鉛直方向メッシュ２０を介して当該小型魚育成領域２に隣接し、かつ水平方向又は鉛直方向における一方側の幅を３〜５ｃｍとし、他方側の幅を１ｃｍ以上とするメッシュ単位５の平面方向に沿った接続による単層又は当該単層を重畳している複数層を形成している鉛直方向メッシュ３０を備えている中型魚育成領域３、当該鉛直方向メッシュ３０を介して当該中型魚育成領域３に隣接している大型魚育成領域４、をそれぞれ設けている。
尚、図５（ａ）においては、メッシュ単位５を、表示の便宜上、鉛直方向の幅を順次変化させたことによる白色領域によって示す。
【００２４】
基本構成（４）のプランクトン及び魚育成用水槽は、図６（ａ）、（ｂ）に示すように、水平方向又は鉛直方向における一方側の幅を２〜２００μｍとし、他方側の幅を１０μｍ以上とするメッシュ単位５の平面方向に沿った接続による単層又は当該単層を重畳している複数層を形成している鉛直方向メッシュ１０を備えたマイクロプランクトン育成領域１、当該鉛直方向メッシュ１０を介して当該マイクロプランクトン育成領域１に隣接し、かつ水平方向又は鉛直方向における一方側の幅を２００μｍ〜１ｃｍとし、他方側の幅を２００μｍ以上とするメッシュ単位５の平面方向に沿った接続による単層又は当該単層を重畳している複数層を形成している鉛直方向メッシュ１２０を備えたメソプランクトン育成領域１２、当該鉛直方向メッシュ１２０を介して当該メソプランクトン育成領域１２に隣接し、かつ水平方向又は鉛直方向における一方側の幅を１〜３ｃｍとし、他方側の幅を１ｃｍ以上とするメッシュ単位５の平面方向に沿った接続による単層又は当該単層を重畳している複数層を形成している鉛直方向メッシュ２０を備えた小型魚育成領域２、当該鉛直方向メッシュ２０を介して当該小型魚育成領域２に隣接し、かつ水平方向又は鉛直方向における一方側の幅を３〜５ｃｍとし、他方側の幅を３ｃｍ以上とするメッシュ単位５の平面方向に沿った接続による単層又は当該単層を重畳している複数層を形成している鉛直方向メッシュ３０を備えている中型魚育成領域３、当該鉛直方向メッシュ３０を介して当該中型魚育成領域３に隣接している大型魚育成領域４、をそれぞれ設けている。
尚、図６（ａ）においては、メッシュ単位５を、表示の便宜上、鉛直方向の幅を順次変化させたことによる白色領域によって示す。
【００２５】
基本構成（５）のプランクトン及び魚育成用水槽は、図７（ａ）、（ｂ）に示すように、２枚の板５が水平方向又は鉛直方向にて交差状態にあり、かつ当該交差領域における２枚の板５の向かい合う面の幅を２０〜２００μｍとする鉛直方向交差壁部１０を備えているマイクロプランクトン育成領域１、当該鉛直方向交差壁部１０を介して当該マイクロプランクトン育成領域１に隣接し、２枚の板５が水平方向又は鉛直方向にて交差状態にあり、当該交差領域における２枚の板５の向かい合う面の幅を２００μｍ〜２ｃｍとする鉛直方向交差壁部２０を備えている小型魚育成領域２、当該鉛直方向交差壁部２０を介して、当該小型魚育成領域２に隣接し、かつ２枚の板５が水平方向又は鉛直方向に交差しており、当該交差領域における２枚の板５の向かい合う面の幅を３〜５ｃｍとする鉛直方向交差壁部３０を備えている中型魚育成領域３、当該鉛直方向交差壁部３０を介して、当該中型魚育成領域３に隣接している大型魚育成領域４、をそれぞれ設けている。
尚、図７（ａ）においては、交差方向が鉛直方向である場合を示す。
【００２６】
基本構成（６）のプランクトン及び魚育成用水槽は、図８（ａ）、（ｂ）に示すように、２枚の板５が水平方向又は鉛直方向にて交差状態にあり、かつ当該交差領域における２枚の板５の向かい合う面の幅を２０〜２００μｍとする鉛直方向交差壁部１０を備えているマイクロプランクトン育成領域１、当該鉛直方向交差壁部１０を介して当該マイクロプランクトン育成領域１に隣接し、かつ２枚の板５が水平方向又は鉛直方向にて交差状態にあり、かつ当該交差領域における２枚の板５の向かい合う面の幅を２００μｍ〜１ｃｍとする鉛直方向交差壁部１２０を備えているメソプランクトン育成領域１２、当該鉛直方向交差壁部１２０を介して当該メソプランクトン育成領域１２に隣接し、かつ２枚の板５が水平方向又は鉛直方向にて交差状態にあり、当該交差領域における２枚の板５の向かい合う面の幅を１〜２ｃｍとする鉛直方向交差壁部２０を備えている小型魚育成領域２、当該鉛直方向交差壁部２０を介して、当該小型魚育成領域２に隣接し、かつ２枚の板５が水平方向又は鉛直方向に交差しており、当該交差領域における２枚の板５の向かい合う面の幅を３〜５ｃｍとする鉛直方向交差壁部３０を備えている中型魚育成領域３、当該鉛直方向交差壁部３０を介して、当該中型魚育成領域３に隣接している大型魚育成領域４、をそれぞれ設けている。
尚、図８（ａ）においては、交差方向が水平方向である場合を示す。
【００２７】
図３、４、５、６、７、８は、マイクロプランクトン育成領域１から大型魚育成領域４に至るまでに、隣接する方向が順次同一方向である実施形態を示している。
【００２８】
このような実施形態の場合には、マイクロプランクトン育成領域１及び大型魚育成領域４の水平方向端部に水を保持するための鉛直方向壁部４０を備えていることを必要不可欠とすると共に、小型魚育成領域２、中型魚育成領域３、大型魚育成領域４の鉛直方向壁部４０と直交する壁部の両側又は片側は、水槽として魚の鑑賞を可能とするために透明壁部であることを当然の前提としている。
【００２９】
基本構成（１）及び（２）においては、図９に示すように、通常、前記各鉛直方向壁部１０、１２０、２０、３０において、前記各孔５の水平方向又は鉛直方向における一方側の幅が、隣接する育成領域１２、２、３、４側に設定されており、前記各鉛直方向壁部１０、１２０、２０、３０を備えている育成領域１、１２、２、３に向かう側に沿って、前記各孔５の水平方向及び鉛直方向における一方側の幅が順次大きく設定されていることを特徴とする実施形態が採用されている。
【００３０】
このような実施形態の場合には、マイクロプランクトン、メソプランクトン、小型魚、中型魚は順次水平方向及び鉛直方向における幅が大きく設定されている側から、隣接する領域側に容易に遊泳することができる。
【００３１】
基本構成（１）及び（２）の各鉛直方向壁部１０、１２０、２０、３０、４０における孔５の形状は特に限定されないが、図１０（ａ）は、鉛直方向に細長いスリット形状の場合を示し、図１０（ｂ）は、円形の場合を示す。
【００３２】
基本構成（３）及び（４）の鉛直方向メッシュ１０、１２０、２０、３０のメッシュ単位５の形状は特に限定されないが、図１１（ａ）は、鉛直方向に細長いスリット形状の場合を示し、図１１（ｂ）は、正六角形の場合を示す。
【００３３】
マイクロプランクトン育成領域１にて育成されるマイクロプランクトンの大きさは、２０〜２００μｍであることから、マイクロプランクトン育成領域１においては、基本構成（１）及び（２）のように、水平方向又は鉛直方向における一方側の幅を２０〜２００μｍとし、他方側の幅を１０μｍ以上とする孔５が点在する鉛直方向壁部１０を備えるか、又は基本構成（３）及び（４）のように、水平方向又は鉛直方向における一方側の幅を２０〜２００μｍとし、他方側の幅を１０μｍ以上とするメッシュ単位５の平面方向に沿った接続による単層又は当該単層を重畳している複数層を形成している鉛直方向メッシュ１０を備えるか、又は基本構成（５）及び（６）のように、交差領域における２枚の板５が向かい合う面の間隔を２０〜２００μｍとする鉛直方向交差壁部１０を備えている。
【００３４】
このような大きさの孔５又はメッシュ単位５又は交差し合う板５の交差領域を介して、マイクロプランクトンは、隣接する小型魚育成領域２（基本構成（１）、（３）、（５）の場合）の側に、又は隣接するメソプランクトン育成領域１２（基本構成（２）、（４）、（６）の場合）の側、及び更に順次隣接している育成領域３、４の側に遊泳することができる。
【００３５】
マイクロプランクトンとしては、非群体性、即ち同種の個体が集合することによって共通する状態を組織して、相互の協働関係によって繁茂する性格を有していない毛藻類、ラフィド藻類、ユーグレナ藻類のような植物プランクトン及び有孔虫類、放散虫類、繊毛虫類のような動物プランクトンを育成の対象とすることができる。
【００３６】
基本構成（１）、（２）、（３）、（４）、（５）、（６）のマイクロプランクトン育成領域１においては、マイクロプランクトンよりも体形が小さく、２〜２０μｍの大きさであるナノプランクトンであるクリプト藻類、ハプト藻類のような植物プランクトン、及び鞭毛虫類、繊毛虫類のような動物プランクトンをも育成することができる。
【００３７】
メダカ又はハヤのような小型の淡水魚の水平方向又は鉛直方向の平均幅が、大抵の場合、２００μｍ〜２ｃｍの範囲内にあることから、基本構成（１）、（２）、（３）、（４）、（５）、（６）の小型魚育成領域２においては、水平方向又は鉛直方向における一方側の幅を２００μｍ〜２ｃｍとし、他方側の幅を２００μｍ以上とする孔５が点在する鉛直方向壁部２０を備えるか、又は、水平方向又は鉛直方向における一方側の幅を２００μｍ〜２ｃｍとし、他方側の幅を２００μｍ以上とするメッシュ単位５の平面方向に沿った接続による単層又は当該単層を重畳している複数層を形成している鉛直方向メッシュ２０を備えるか、又は基本構成（５）及び（６）のように、交差領域における２枚の板５が向かい合う面の間隔を２００μｍ〜２ｃｍとする鉛直方向交差壁部２０を備えている。
【００３８】
このような大きさの孔５又はメッシュ単位５、又は交差し合う板５の交差領域を介して、小型魚は、中型魚育成領域３の側及び大型魚育成領域４の側に遊泳することができる。
【００３９】
金魚、フナ及び鮎等の中型魚の水平方向又は鉛直方向の平均幅が、大抵の場合、３〜５ｃｍであることから、基本構成（１）、（２）、（３）、（４）、（５）、（６）の中型魚育成領域３においては、水平方向又は鉛直方向における一方側の幅を３〜５ｃｍとし、他方側の幅を３ｃｍ以上とする孔５が点在している鉛直方向壁部３０を備えるか、又は、水平方向又は鉛直方向における一方側の幅を３〜５ｃｍとし、他方側の幅を３ｃｍ以上とするメッシュ単位５の平面方向に沿った接続による単層又は当該単層を重畳している複数層を形成している鉛直方向メッシュ３０を備えるか、又は基本構成（５）及び（６）のように、交差領域における２枚の板５が向かい合う面の間隔を３〜５ｃｍとする鉛直方向交差壁部３０を備えている。
【００４０】
このような大きさの孔５又はメッシュ単位５、又は交差し合う板５の交差領域を介して、中型魚は、大型魚育成領域４の側に遊泳することができる。
【００４１】
基本構成（２）の場合には、水平方向又は鉛直方向における一方側の幅を２００μｍ〜１ｃｍとし、他方側の幅を２００μｍ以上とする孔５が点在している鉛直方向壁部１２０を備えているメソプランクトン育成領域１２が、マイクロプランクトン育成領域１と小型魚育成領域２との間に介在しており、基本構成（４）の場合には、水平方向又は鉛直方向における一方側の幅を２００μｍ〜１ｃｍとし、他方側の幅を２００μｍ以上とするメッシュ単位５の平面方向に沿った接続による単層又は当該単層を重畳している複数層を形成している鉛直方向メッシュ１２０を備えているメソプランクトン育成領域１２がマイクロプランクトン育成領域１と小型魚育成領域２との間に介在しており、基本構成（６）の場合には、交差領域における２枚の板５が向かい合う面の間隔を２００μｍ〜１ｃｍとする交差し合う２枚の板５に基づく鉛直方向交差壁部１２０を備えている。
【００４２】
メソプランクトン育成領域１２においては、群体性、即ち同種の個体が集合することによって共通する状態を組織して、相互の協働関係によって繁茂する性格を有している藍藻類、珪藻類などの植物性プランクトン及びカイアシ類、オキアミ類等の動物性プランクトンを育成の対象とすることができる。
【００４３】
このようなメソプランクトン育成領域１２を設けている基本構成（２）、（４）、（６）の場合には、マイクロプランクトンは、メソプランクトン育成領域１２の側に遊泳すると共に、メソプランクトンは、前記鉛直方向壁部１２０又は鉛直方向メッシュ１２０又は鉛直方向交差壁部１２０を介して、小型魚育成領域２の側、及び更に順次隣接している育成領域３、４の側に遊泳することができる。
尚、基本構成（２）、（４）、（６）の場合には、小型魚育成領域２によって育成する小型魚の水平方向又は鉛直方向における平均幅が１〜３ｃｍの範囲内にあることを前提としているが、基本構成（１）、（３）、（５）のように、水平方向又は鉛直方向の平均幅が２００μm〜２ｃｍの範囲内にある小型魚を育成した場合には、前記幅が２００μm〜１ｃｍの範囲内にある小型魚がメソプランクトン育成領域１２に遊泳し、メソプランクトンを捕食する場合が発生する。
【００４４】
しかしながら、このような場合が発生しても、当該発生は、小型魚がメソプランクトンを捕食とする領域が増加することを意味しているに過ぎず、小型魚とマイクロプランクトン、中型魚、大型魚との関係は、基本構成（１）、（３）、（５）の場合と変わりはない。
【００４５】
鉛直方向壁部１０、１２０、２０、３０、及び鉛直方向メッシュ１０、１２０、２０、３０、及び鉛直方向交差壁部１０、１２０、２０、３０の機能がプランクトン又は各魚が通過する点において同一であることを考慮した場合には、
マイクロプランクトン育成領域１、小型魚育成領域２、中型魚育成領域３において、それぞれ基本構成（１）の鉛直方向壁部１０、２０、３０、基本構成（３）の鉛直方向メッシュ１０、２０、３０、基本構成（５）の鉛直方向交差壁部１０、２０、３０につき、その何れかを選択した状態にて備えており、かつ選択の結果が基本構成（１）、（３）、（５）と異なる構成であるプランクトン及び魚育成用水槽、
及び、
マイクロプランクトン育成領域１、メソプランクトン育成領域１２、小型魚育成領域２、中型魚育成領域３において、それぞれ基本構成（２）の鉛直方向壁部１０、１２０、２０、３０、及び基本構成（４）の鉛直方向メッシュ１０、１２０、２０、３０、及び基本構成（６）の鉛直方向交差壁部１０、１２０、２０、３０につき、その何れかを選択した状態にて備えており、かつ選択の結果が基本構成（２）、（４）、（６）と異なる構成であるプランクトン及び魚育成用水槽、
を準基本構成として採用することができる。
尚、上記各準基本構成において、それぞれ基本構成（１）、（３）、（５）と異なる構成であること、及び基本構成（２）、（４）、（６）と異なる構成であることを要件としているのは、同一構成であるならば、選択することが無意味であることに由来している。
【００４６】
以上のようなマイクロプランクトン、メソプランクトン、小型魚、中型魚の遊泳によって、既に効果の項にて説明したように、各育成領域１、１２、２、３における捕食する関係が成立し、前記効果を達成することができる。
但し、例えばゲンゴロウブナのように、マイクロプランクトンのみを主食とする中型魚も存在することを考慮するならば、小型魚育成領域２を設けずに、基本構成（１）、（３）、（５）、前記準基本構成の何れかを選択したマイクロプランクトン育成領域１に隣接して、基本構成（１）、（３）、（５）、前記準基本構成の何れかを選択した中型魚育成領域３を設け、当該中型魚育成領域３に隣接して、大型魚育成領域４を設けているプランクトン及び魚育成用水槽を基本構成（１）、（３）、（５）に対する変形構成として採用することができる。
【００４７】
基本構成（１）及び（２）における鉛直方向壁部１０、１２０、２０、３０及び基本構成（５）、（６）における鉛直方向交差壁部１０、１２０、２０、３０は、必ずしも透明である必要はない。
却って、透明の場合には、小型魚及び中型魚は、肉食系の魚に該当する大型魚の存在に気付き、小型魚の場合には、中型魚育成領域３及び大型魚育成領域４に移行しようとしない傾向、及び中型魚の場合には、大型魚育成領域４に移行しようとしない傾向さえ発生する。
【００４８】
このような傾向を考慮した場合には、鉛直方向壁部１０、１２０、２０、３０については不透明な板によって形成されていることが好ましく、鉛直方向交差壁部１０、１２０、２０、３０における交差し合う２枚の板５もまた不透明であることが好ましい。
【００４９】
基本構成（２）、（４）のように、鉛直方向メッシュ１０、１２０、２０、３０の場合には、小型魚及び中型魚は、大型魚の存在に気付き、大型魚が中型魚育成領域３及び大型魚育成領域４に移行しようとしない傾向、及び中型魚が大型魚育成領域４に移行しようとしない傾向を否定することができない。
【００５０】
然るに、各魚の育成領域２、３、４においては、鑑賞のために照明灯が設置される一方、小型魚及び中型魚は何れも照明によって自らの存在に気付かれ、捕食されることを避けるために当該照明の位置から離れるように遊泳する傾向がある。
【００５１】
このような傾向を考慮し、大型魚育成領域４、中型魚育成領域３、小型魚育成領域２における照明の程度を順次大きくした場合には、小型魚は自らの育成領域２から中型魚育成領域３に遊泳しようとし、中型魚は自らの育成領域３から大型魚育成領域４に移行しようとすることから、前記傾向による弊害を減少することができる。
【００５２】
前記各魚の例示は、淡水魚を育成の対象としているが、基本構成（１）、（２）、（３）、（４）、（５）、（６）においては、海水魚をも育成の対象とすることができ、小型魚としては、カタクチイワシの幼魚である白魚を選択し、中型魚として、例えばイワシ、白魚、サンマの幼魚を選択し、大型魚として、例えばサンマ、成長過程にあるマグロを選択することができる。
【００５３】
図３、４、５、６、７、８は、前記のように、基本構成（１）、（２）、（３）、（４）、（５）、（６）のうち、各育成領域１、１２、２、３、４が順次同一方向側に隣接する実施形態を示しているが、基本構成（１）、（２）、（３）、（４）、（５）、（６）は、このような実施形態に限定される訳ではない。
【００５４】
即ち、図１２、１３、１４に示すように、基本構成（１）、（３）、（５）において、マイクロプランクトン育成領域１を最内側とし、大型魚育成領域４を最外側とし、各鉛直方向壁部又は各鉛直方向メッシュ又は各鉛直方向交差壁部１０、２０、３０を介して隣接している各育成領域２、３、４が、当該各鉛直方向壁部又は当該各鉛直方向メッシュ又は当該各鉛直方向交差壁部１０、２０、３０を備えている各育成領域１、２、３を囲んだ形状であり、
小型魚育成領域２及び中型魚育成領域３が備えている各鉛直方向壁部又は各鉛直方向交差壁部２０、３０が透明であることを特徴とする実施形態、具体的には、マイクロプランクトン育成領域１を小型魚育成領域２が囲み、小型魚育成領域２を中型魚育成領域３が囲み、中型魚育成領域３を大型魚育成領域４が囲むような実施形態を採用することができる。
尚、各鉛直方向壁部又は各鉛直方向交差壁部２０、３０を透明としたのは、これらが透明でなければ、中型魚及び小型魚を鑑賞することができないことに由来している。
【００５５】
図１２、１３、１４に示す前記実施形態の場合には、鑑賞を実現するために、大型魚育成領域４を透明な壁部によって囲む一方、マイクロプランクトン育成領域１には図３、４、５、６、７、８に示す実施形態のような水平方向端部が存在しない以上、当該端部における鉛直方向壁部４０を設ける必要はない。
尚、各鉛直方向壁部又は各鉛直方向交差壁部２０、３０が透明であることによって、鉛直方向メッシュ２０、３０を採用した場合と同様に、小型魚及び中型魚が肉食系の魚が多い大型魚に気付き、それぞれ大型魚育成領域に遊泳しようとしない傾向が生ずることにならざるを得ない。
【００５６】
このような傾向を免れるために、鉛直方向メッシュ２０、３０の場合と同様に、大型魚育成領域４、中型魚育成領域３、小型魚育成領域２に対する照明の程度を順次大きくするような実施形態を採用することによって、上記傾向による弊害を減少させることができる。
【００５７】
基本構成（２）、（４）、（６）においても、マイクロプランクトン育成領域１をメソプランクトン育成領域１２が囲み、メソプランクトン育成領域１２を小型魚育成領域２が囲み、小型魚育成領域２を中型魚育成領域３が囲み、中型魚育成領域３を大型魚育成領域４が囲むような実施形態を採用することができる。
但し、上記実施形態の図示については省略することにする。
【００５８】
基本構成（２）、（４）、（６）の上記実施形態の場合にも、大型魚育成領域４を透明な壁部によって囲み、かつ鉛直方向壁部又は鉛直方向交差壁部２０、同３０が透明であることを要件としていることは、基本構成（１）、（３）、（５）の場合と変わりはない。
【００５９】
前記実施形態においては、順次外側の育成領域１２、２、３、４が内側の育成領域１、１２、２、３を囲むことによって、水平方向の何れの側においても、各隣接する領域における育成物の共存状態を鑑賞することができる。
【００６０】
図１２は、各鉛直方向壁部１０、１２０、２０、３０、４０の水平方向断面が正方形である場合を示し、図１３は、各鉛直方向メッシュ１０、１２０、２０、３０及び鉛直方向壁部４０の水平方向断面が円形である場合を示し、図１４は、各鉛直方向交差壁部１０、１２０、２０、３０及び鉛直方向壁部４０の水平方向断面が六角形である場合を示すが、前記水平方向の断面形状は、これらの形状に限定される訳ではなく、他の断面形状も当然採用可能である。
【００６１】
大型魚が肉食である場合が多いことについては既に説明したとおりであるが、中型魚及び小型魚は、大型魚の身体から発せられる臭い、即ち体臭を感触した場合には、当該体臭を避ける方向に遊泳する傾向がある。
【００６２】
その結果、小型魚は中型魚育成領域３に遊泳しようとせず、更には中型魚は大型魚育成領域４の側に遊泳しようとしないという弊害の発生を否定することができない。
【００６３】
然るに、図３、４に示すように、各育成領域１、１２、２、３、４の下側に底部空間７を設け、当該底部空間７内に濾過槽１５及び水循環用ポンプ８を配設し、マイクロプランクトン育成領域１を上流とし、大型魚育成領域４を下流とする水の循環を実現しており、かつ底部空間７と大型魚育成領域４とを仕切る底面６における水透過用穴６１を、大型魚が通過し得ない程度の大きさとするか、又は底部空間７に中型魚育成領域３が備えている基本構成（１）、（２）の鉛直方向壁部３０又は基本構成（３）、（４）の鉛直方向メッシュ３０又は基本構成（５）、（６）の鉛直方向交差壁部３０を底部空間７に延設していることを特徴とする実施形態を採用した場合には、濾過装置によって、大型魚の体臭の到来を減少し、小型魚育成領域２、中型魚育成領域３に大型魚の体臭の流入を少ない状態とし、上記傾向による弊害を小さい状態とすることができる。
尚、大型魚育成領域４に対する底面６における水透過用穴６１を大型魚が通過できない程度の大きさとするか、又は中型魚育成領域３が備えている鉛直方向壁部３０又は鉛直方向メッシュ３０又は鉛直方向交差壁部３０を底部空間７に延設しているのは、大型魚が底部空間７内に遊泳した場合には、大型魚が濾過槽１５と衝突し、当該濾過槽１５を破壊する危険性があるだけでなく、前記のような体臭の流入を少ない状態とする効果が減殺されることに由来している。
【００６４】
図３（ａ）、図５（ａ）、図６（ａ）、図７（ａ）、図１２（ａ）、図１４（ａ）は、底面６における水透過用穴６１が大型魚が通過できない程度の大きさである場合を示しており、図４（ａ）は、鉛直方向壁部３０が底部空間７内に延設されている場合を示し、図１３（ａ）は双方の場合を示す。
【００６５】
特に、図５、６、７、８に示すように、底部空間７と各育成領域１、１２、２、３、４とを仕切る底面において、各育成領域１、１２、２、３、４毎に水透過用穴６１を備えていることを特徴とする実施形態を採用した場合には、水の循環の程度が小型魚育成領域２、中型魚育成領域３、大型魚育成領域４の順序にて大きくなり、その結果、大型魚の体臭が大型魚育成領域４内に貯留し、小型魚育成領域２、中型魚育成領域３に流入しない程度が大きくなり、図３、４に示す実施形態の場合に比し、前記傾向による弊害の防止の程度を更に大きくすることができる。
【００６６】
基本構成（１）、（２）、（３）、（４）、（５）、（６）においては、マイクロプランクトン育成領域１に当該プランクトンを育成するために魚粉、豆粉、穀物粉等の飼料を散布することを必要不可欠とする。
【００６７】
このような場合、図３（ａ）、図４（ａ）、図５（ａ）、図６（ａ）、図７（ａ）、図８（ａ）、図１２（ａ）、図１３（ａ）、図１４（ａ）に示すように、マイクロプランクトン育成領域１に、マイクロプランクトン育成飼料粉末を保持するマット層又は三次元メッシュ層１４を設けていることを特徴とする実施形態を採用した場合には、前記粉末がマット層又は三次元メッシュ層１４内に保持され、マイクロプランクトン育成領域１内をストレートに流動することを原因として、当該育成領域１における汚染の程度を減少する点において極めて好都合である。
尚、前記粉末の平均径は、数μｍであることから、前記マット層又は三次元メッシュ層１４のスケールもまた数μｍに設定されており、このような設定によって、マット層又は三次元メッシュ層１４は、前記粉末を保持することができ、このように保持された前記粉末は、順次マイクロプランクトン育成領域１内に流出するが、マイクロプランクトンは、当該流出した前記粉末を捕食することができる。
【００６８】
各育成領域１、１２、２、３、４に水透過用穴６１を備えている底面６を設け、当該底面６の下側に底部空間７を設定し、当該底部空間７内に、前記マット層又は三次元メッシュ層１４を上昇する水流を供給するポンプ８を配設することを特徴とする実施形態については、図３（ａ）、図４（ａ）、図５（ａ）、図６（ａ）、図７（ａ）、図８（ａ）に即して、既に説明した通りである。
【００６９】
前記実施形態のうち、特に上記各図面に示す実施形態の場合には、ポンプ８によって前記マット層又は三次元メッシュ層１４に供給された水流は、順次各育成領域１２、２、３、４側に移行して流動すると共に、各育成領域１、１２、２、３、４から底部空間７に水透過用穴６１を介して移行し、かつ流動することができ、隣接し合う各育成領域１、１２、２、３、４間及び各育成領域１、１２、２、３、４と底部空間７との間にて効率的な水の循環を実現することができる。
しかも、前記循環によって、魚糞を底部空間７に効率的に収容することができる。
【００７０】
以下、実施例に即して説明する。
【実施例１】
【００７１】
実施例１は、図１に示すように、土砂を素材とする好気性微生物生息用の多孔質焼結粒子９を、底部空間７に敷設していることを特徴としている。
【００７２】
このような多孔質粒子を底部空間７に敷設した場合には、好気性微生物が当該焼結粒子９内に繁殖し、水槽の水の浄化に寄与することができる。
【実施例２】
【００７３】
実施例２は、図２に示すように、土砂を素材とする好気性微生物生息用の多孔質焼結粒子９を網状又は袋状の容器１１内に収容し、当該容器１１に空気袋１２を固着することによって、底部空間７内に浮上させることを特徴としている。
【００７４】
このような実施例２においては、実施例１と同様の水の浄化を実現すると共に、多孔質焼結粒子９を前記容器１１から取り出すことによって容易に交換することができる。
【実施例３】
【００７５】
実施例３は、図１に示すように、底部空間７内に水生植物１３を繁殖させることを特徴としている。
【００７６】
このように、水生植物１３を繁茂させることによって、水生植物１３が光合成によって排出する二酸化炭素を単に好気性微生物の繁殖を助長させるだけでなく、動物プランクトン、各魚の育成に寄与することができる。
【００７７】
特に、水生植物１３が水草群落、即ち淡水における水草の群落及び海水における海藻群落を形成している場合には、小型魚及び中型魚が水草群落に遊泳し、当該水草を自らの飼料とすることができる。
しかも、小型魚が水草群落内を遊泳している場合に、たとえ中型魚が底部空間７内を遊泳していたとしても、中型魚による小型魚に対する捕食の程度を緩和することができる。
【産業上の利用可能性】
【００７８】
本発明は、小型魚、中型魚、大型魚を同時に育成すると共に、各魚とマイクロプランクトン及びメソプランクトンとを同時に育成することによって、変化に富んだ魚の遊泳状況を享受し、かつ単にマイクロプランクトンを育成することによって、各魚に対し、育成用飼料の供給を伴わずに育成を可能としている点において、水槽内の汚染を防止することができ、その利用範囲は絶大である。
【符号の説明】
【００７９】
１      マイクロプランクトン育成領域
１０    マイクロプランクトン育成領域に備えた鉛直方向壁部又は鉛直方向メッシュ又は鉛直方向交差壁部
１２    メソプランクトン育成領域
１２０  メソプランクトン育成領域に備えた鉛直方向壁部又は鉛直方向メッシュ又は鉛直方向交差壁部
２      小型魚育成領域
２０    小型魚育成領域に備えた鉛直方向壁部又は鉛直方向メッシュ又は鉛直方向交差壁部
３      中型魚育成領域
３０    中型魚育成領域に備えた鉛直方向壁部又は鉛直方向メッシュ又は鉛直方向交差壁部
４      大型魚育成領域
４０    マイクロプランクトン育成領域及び大型魚育成領域又は大型魚育成領域のみに備えた鉛直方向壁部又は鉛直方向交差壁部
５      孔又はメッシュ単位又は交差し合う板
６      底面
６１    底面における水透過用穴
７      底部空間
８      ポンプ
９      焼結粒子
１１    容器
１２    空気袋
１３    水生植物
１４    マット層又は三次元メッシュ層
１５    濾過槽
【図１】
2020184886.tif 000003
【図２】
2020184886.tif 000004
【図３】
2020184886.tif 000005
【図４】
2020184886.tif 000006
【図５】
2020184886.tif 000007
【図６】
2020184886.tif 000008
【図７】
2020184886.tif 000009
【図８】
2020184886.tif 000010
【図９】
2020184886.tif 000011
【図１０】
2020184886.tif 000012
【図１１】
2020184886.tif 000013
【図１２】
2020184886.tif 000014
【図１３】
2020184886.tif 000015
【図１４】
2020184886.tif 000016
【手続補正書】
【提出日】令和1年8月19日(2019.8.19)
【手続補正１】
【補正対象書類名】特許請求の範囲
【補正対象項目名】請求項１１
【補正方法】変更
【補正の内容】
【請求項１１】
マイクロプランクトン育成領域において備える対象物として、マイクロプランクトン育成領域が備えている請求項１記載の寸法による孔が点在している鉛直方向壁部、又は請求項５記載の寸法によるメッシュ単位が接続している鉛直方向メッシュ、又は請求項８記載の寸法による交差領域を形成している鉛直方向交差壁部の３種類のうちの何れか１種類を選択し、当該選択に係る対象物を介してマイクロプランクトン育成領域と隣接している小型魚育成領域において備える対象物として、小型魚育成領域が備えている請求項１記載の寸法による孔が点在している鉛直方向壁部、又は請求項５記載の寸法によるメッシュ単位が接続している鉛直方向メッシュ、又は請求項８記載の寸法による交差領域を形成している鉛直方向交差壁部の３種類のうちの何れか１種類を選択し、当該選択に係る対象物を介して小型魚育成領域と隣接している中型魚育成領域において備える対象物として、中型魚育成領域が備えている請求項１記載の寸法による孔が点在している鉛直方向壁部、又は請求項５記載の寸法によるメッシュ単位が接続している鉛直方向メッシュ、又は請求項８記載の寸法による交差領域を形成している鉛直方向交差壁部の３種類のうちの何れか１種類を選択し、当該選択に係る対象物を介して中型魚育成領域に大型魚育成領域が隣接しており、選択された合計３個の種類は、同一種類ではなく、異なる２種類又は異なる３種類によって構成されているプランクトン及び魚育成用水槽。
【手続補正２】
【補正対象書類名】特許請求の範囲
【補正対象項目名】請求項１２
【補正方法】変更
【補正の内容】
【請求項１２】
マイクロプランクトン育成領域において備える対象物として、マイクロプランクトン育成領域が備えている請求項２記載の寸法による孔が点在している鉛直方向壁部、又は請求項６記載の寸法によるメッシュ単位が接続している鉛直方向メッシュ、又は請求項９記載の寸法による交差領域を形成している鉛直方向交差壁部の３種類のうちの何れか１種類を選択し、当該選択に係る対象物を介してマイクロプランクトン育成領域と隣接しているメソプランクトン育成領域において備える対象物として、メソプランクトン育成領域が備えている請求項２記載の寸法による孔が点在している鉛直方向壁部、又は請求項６記載の寸法によるメッシュ単位が接続している鉛直方向メッシュ、又は請求項９記載の寸法による交差領域を形成している鉛直方向交差壁部の３種類のうちの何れか１種類を選択し、当該選択に係る対象物を介してメソプランクトン育成領域と隣接している小型魚育成領域において備える対象物として、小型魚育成領域が備えている請求項２記載の寸法による孔が点在している鉛直方向壁部、又は請求項６記載の寸法によるメッシュ単位が接続している鉛直方向メッシュ、又は請求項９記載の寸法による交差領域を形成している鉛直方向交差壁部の３種類のうちの何れか１種類を選択し、当該選択に係る対象物を介して小型魚育成領域と隣接している中型魚育成領域において備える対象物として、中型魚育成領域が備えている請求項２記載の寸法による孔が点在している鉛直方向壁部、又は請求項６記載の寸法によるメッシュ単位が接続している鉛直方向メッシュ、又は請求項９記載の寸法による交差領域を形成している鉛直方向交差壁部の３種類のうちの何れか１種類を選択し、当該選択に係る対象物を介して中型魚育成領域に大型魚育成領域が隣接しており、選択された合計４個の種類は、同一種類ではなく、異なる２種類又は異なる３種類によって構成されているプランクトン及び魚育成用水槽。
【手続補正３】
【補正対象書類名】特許請求の範囲
【補正対象項目名】請求項１９
【補正方法】変更
【補正の内容】
【請求項１９】
底部空間における循環ポンプが請求項１８記載のマット層又は三次元メッシュ層を上昇する水流を供給することを特徴とする請求項１６、１７の何れかの一項に記載のプランクトン及び魚育成用水槽。
【手続補正４】
【補正対象書類名】明細書
【補正対象項目名】００４５
【補正方法】変更
【補正の内容】
【００４５】
鉛直方向壁部１０、１２０、２０、３０、及び鉛直方向メッシュ１０、１２０、２０、３０、及び鉛直方向交差壁部１０、１２０、２０、３０の機能がプランクトン又は各魚が通過する点において同一であることを考慮した場合には、
マイクロプランクトン育成領域１において備える対象物として、マイクロプランクトン育成領域１が備えている基本構成（１）記載の寸法による孔が点在している鉛直方向壁部１０、又は基本構成（３）記載の寸法によるメッシュ単位が接続している鉛直方向メッシュ１０、又は基本構成（５）記載の寸法による交差領域を形成している鉛直方向交差壁部１０の３種類のうちの何れか１種類を選択し、当該選択に係る対象物を介してマイクロプランクトン育成領域１と隣接している小型魚育成領域２において備える対象物として、小型魚育成領域２が備えている基本構成（１）記載の寸法による孔が点在している鉛直方向壁部２０、又は基本構成（３）記載の寸法によるメッシュ単位が接続している鉛直方向メッシュ２０、又は基本構成（５）記載の寸法による交差領域を形成している鉛直方向交差壁部２０の３種類のうちの何れか１種類を選択し、当該選択に係る対象物を介して小型魚育成領域２と隣接している中型魚育成領域３において備える対象物として、中型魚育成領域３が備えている基本構成（１）記載の寸法による孔が点在している鉛直方向壁部３０、又は基本構成（３）記載の寸法によるメッシュ単位が接続している鉛直方向メッシュ３０、又は基本構成（５）記載の寸法による交差領域を形成している鉛直方向交差壁部３０の３種類のうちの何れか１種類を選択し、当該選択に係る対象物を介して中型魚育成領域３に大型魚育成領域４が隣接しており、選択された合計３個の種類は、同一種類ではなく、異なる２種類又は異なる３種類によって構成されているプランクトン及び魚育成用水槽、
及び、
マイクロプランクトン育成領域１において備える対象物として、マイクロプランクトン育成領域１が備えている基本構成（２）記載の寸法による孔が点在している鉛直方向壁部１０、又は基本構成（４）記載の寸法によるメッシュ単位が接続している鉛直方向メッシュ１０、又は基本構成（６）記載の寸法による交差領域を形成している鉛直方向交差壁部１０の３種類のうちの何れか１種類を選択し、当該選択に係る対象物を介してマイクロプランクトン育成領域１と隣接しているメソプランクトン育成領域１２において備える対象物として、メソプランクトン育成領域１２が備えている基本構成（２）記載の寸法による孔が点在している鉛直方向壁部１２０、又は基本構成（４）記載の寸法によるメッシュ単位が接続している鉛直方向メッシュ１２０、又は基本構成（６）記載の寸法による交差領域を形成している鉛直方向交差壁部１２０の３種類のうちの何れか１種類を選択し、当該選択に係る対象物を介してメソプランクトン育成領域１２と隣接している小型魚育成領域２において備える対象物として、小型魚育成領域２が備えている基本構成（２）記載の寸法による孔が点在している鉛直方向壁部２０、又は基本構成（４）記載の寸法によるメッシュ単位が接続している鉛直方向メッシュ２０、又は基本構成（６）記載の寸法による交差領域を形成している鉛直方向交差壁部２０の３種類のうちの何れか１種類を選択し、当該選択に係る対象物を介して小型魚育成領域２と隣接している中型魚育成領域３において備える対象物として、中型魚育成領域３が備えている基本構成（２）記載の寸法による孔が点在している鉛直方向壁部３０、又は基本構成（４）記載の寸法によるメッシュ単位が接続している鉛直方向メッシュ３０、又は基本構成（６）記載の寸法による交差領域を形成している鉛直方向交差壁部３０の３種類のうちの何れか１種類を選択し、当該選択に係る対象物を介して中型魚育成領域３に大型魚育成領域４が隣接しており、選択された合計４個の種類は、同一種類ではなく、異なる２種類又は異なる３種類によって構成されているプランクトン及び魚育成用水槽、
を準基本構成として採用することができる。
尚、上記各準基本構成において、それぞれ基本構成（１）、（３）、（５）に立脚し、かつ合計３個の種類が、同一種類ではなく、異なる２種類又は異なる３種類によって構成されていること、及び基本構成（２）、（４）、（６）に立脚し、かつ合計４個の種類が、同一種類ではなく、異なる２種類又は異なる３種類によって構成されていることを要件としているのは、全てが同一の種類であるならば、基本構成（１）、（２）、（３）、（４）、（５）、（６）が同一であって、上記各選択が無意味であることに由来している。
【手続補正５】
【補正対象書類名】明細書
【補正対象項目名】００６７
【補正方法】変更
【補正の内容】
【００６７】
このような場合、図３（ａ）、図４（ａ）、図５（ａ）、図６（ａ）、図７（ａ）、図８（ａ）、図１２（ａ）、図１３（ａ）、図１４（ａ）に示すように、マイクロプランクトン育成領域１に、マイクロプランクトン育成飼料粉末を保持するマット層又は三次元メッシュ層１４を設けていることを特徴とする実施形態を採用した場合には、前記粉末がマット層又は三次元メッシュ層１４内に保持され、マイクロプランクトン育成領域１内をストレートに流動することを原因として、当該育成領域１における汚染の程度を減少する点において極めて好都合である。
尚、前記粉末の平均径は、数μｍであることから、前記各図に示すマット層又は三次元メッシュ層１４のスケールもまた数μｍに設定されており、このような設定によって、マット層又は三次元メッシュ層１４は、前記粉末を保持することができ、このように保持された前記粉末は、順次マイクロプランクトン育成領域１内に流出するが、マイクロプランクトンは、当該流出した前記粉末を捕食することができる。
【手続補正６】
【補正対象書類名】明細書
【補正対象項目名】００６８
【補正方法】変更
【補正の内容】
【００６８】
各育成領域１、１２、２、３、４に水透過用穴６１を備えている底面６を設け、当該底面６の下側に底部空間７を設定し、当該底部空間７内に、前記各図に示すマット層又は三次元メッシュ層１４を上昇する水流を供給するポンプ８を配設することを特徴とする実施形態については、図３（ａ）、図４（ａ）、図５（ａ）、図６（ａ）、図７（ａ）、図８（ａ）に即して、既に説明した通りである。
【手続補正７】
【補正対象書類名】明細書
【補正対象項目名】００６９
【補正方法】変更
【補正の内容】
【００６９】
前記実施形態のうち、特に上記各図面に示す実施形態の場合には、ポンプ８によって前記各図に示すマット層又は三次元メッシュ層１４に供給された水流は、順次各育成領域１２、２、３、４側に移行して流動すると共に、各育成領域１、１２、２、３、４から底部空間７に水透過用穴６１を介して移行し、かつ流動することができ、隣接し合う各育成領域１、１２、２、３、４間及び各育成領域１、１２、２、３、４と底部空間７との間にて効率的な水の循環を実現することができる。
しかも、前記循環によって、魚糞を底部空間７に効率的に収容することができる。
【手続補正書】
【提出日】令和1年8月26日(2019.8.26)
【手続補正１】
【補正対象書類名】明細書
【補正対象項目名】００４６
【補正方法】変更
【補正の内容】
【００４６】
以上のようなマイクロプランクトン、メソプランクトン、小型魚、中型魚の遊泳によって、既に効果の項にて説明したように、各育成領域１、１２、２、３における捕食する関係が成立し、前記効果を達成することができる。
但し、例えばゲンゴロウブナのように、マイクロプランクトンのみを主食とする中型魚も存在することを考慮するならば、小型魚育成領域２を設けずに、基本構成（１）、（３）、（５）、前記準基本構成のうち、段落［００４５］の前半にて記載した準基本構成、即ち基本構成（１）、（３）、（５）に立脚し、かつ合計３個の対象物の種類が同一種類ではなく、異なる２種類又は異なる３種類によって構成されている準基本構成の何れかを選択したマイクロプランクトン育成領域１に隣接して、基本構成（１）、（３）、（５）、前記準基本構成のうち、段落［００４５］の前半にて記載した準基本構成、即ち基本構成（１）、（３）、（５）に立脚し、かつ合計３個の対象物の種類が同一種類ではなく、異なる２種類又は異なる３種類によって構成されている準基本構成の何れかを選択した中型魚育成領域３を設け、当該中型魚育成領域３に隣接して、大型魚育成領域４を設けているプランクトン及び魚育成用水槽を基本構成（１）、（３）、（５）に対する変形構成として採用することができる。